(57)【要約】本発明はチャネル構成の有効性を示す方法に関し、１対多サービスを伝達する物理チャネルの受信を設定するための構成情報が移動端末の１対多制御チャネルを介して伝送される。有効性情報は、前記移動端末に前記構成情報がいつ又はどれ程の期間有効であるかを示すために、前記構成情報と共に伝送される。前記構成情報は現在の変更周期、又は所定のアクティブ化時間以後に、又は所定のアクティブ化時間まで有効である。従って、移動端末が有効でない物理チャネル構成を利用することを避けることができる。
2007533248.tif 000002
【特許請求の範囲】
【請求項１】
チャネルの構成情報を含むメッセージを生成する段階と、
前記構成情報の有効性を示す有効性情報を前記メッセージに含ませる段階と、
前記メッセージを移動端末に送信する段階と、を含むことを特徴とする無線通信システムで１対多サービスデータを伝達する物理チャネルの有効性を示す方法。
【請求項２】
前記メッセージは、ＭＣＣＨを介して伝送される制御メッセージであることを特徴とする請求項１に記載の無線通信システムで１対多サービスデータを伝達する物理チャネルの有効性を示す方法。
【請求項３】
前記構成情報は、臨界情報であることを特徴とする請求項２に記載の無線通信システムで１対多サービスデータを伝達する物理チャネルの有効性を示す方法。
【請求項４】
前記チャネルは、ＳＣＣＰＣＨであることを特徴とする請求項１に記載の無線通信システムで１対多サービスデータを伝達する物理チャネルの有効性を示す方法。
【請求項５】
前記メッセージは、
ＭＢＭＳ共通１対多無線ベアラ（ｐ−ｔ−ｍ  ｒｂ）情報と、
ＭＢＭＳ現在セル１対多無線ベアラ情報と、
ＭＢＭＳ一般情報と、
ＭＢＭＳ変更サービス情報と、
ＭＢＭＳ隣接セル１対多無線ベアラ情報と、
ＭＢＭＳ未変更サービス情報の少なくとも１つであることを特徴とする請求項１に記載の無線通信システムで１対多サービスデータを伝達する物理チャネルの有効性を示す方法。
【請求項６】
前記有効性情報は、前記構成情報が現在の変更周期の間有効であることを示すことを特徴とする請求項１に記載の無線通信システムで１対多サービスデータを伝達する物理チャネルの有効性を示す方法。
【請求項７】
前記有効性情報は、前記構成情報が所定のアクティブ化時間以後に有効であることを示すことを特徴とする請求項１に記載の無線通信システムで１対多サービスデータを伝達する物理チャネルの有効性を示す方法。
【請求項８】
前記アクティブ化時間は、ネットワークから前記移動端末に伝送されるシステムフレーム番号（Ｓｙｓｔｅｍ  Ｆｒａｍｅ  Ｎｕｍｂｅｒ：ＳＦＮ）に基づくことを特徴とする請求項７に記載の無線通信システムで１対多サービスデータを伝達する物理チャネルの有効性を示す方法。
【請求項９】
前記システムフレーム番号（ＳＦＮ）は、ＢＣＣＨを介してシステム情報メッセージに含まれて送信されることを特徴とする請求項８に記載の無線通信システムで１対多サービスデータを伝達する物理チャネルの有効性を示す方法。
【請求項１０】
前記システムフレーム番号（ＳＦＮ）は、前記構成情報が伝送されるセルのシステムフレーム番号であることを特徴とする請求項８に記載の無線通信システムで１対多サービスデータを伝達する物理チャネルの有効性を示す方法。
【請求項１１】
前記有効性情報は、前記構成情報が所定のアクティブ化時間まで有効であることを示すことを特徴とする請求項１に記載の無線通信システムで１対多サービスデータを伝達する物理チャネルの有効性を示す方法。
【請求項１２】
前記アクティブ化時間は、ネットワークから前記移動端末に伝送されるシステムフレーム番号（Ｓｙｓｔｅｍ  Ｆｒａｍｅ  Ｎｕｍｂｅｒ：ＳＦＮ）に基づくことを特徴とする請求項１１に記載の無線通信システムで１対多サービスデータを伝達する物理チャネルの有効性を示す方法。
【請求項１３】
前記システムフレーム番号（ＳＦＮ）は、ＢＣＣＨを介してシステム情報メッセージに含まれて送信されることを特徴とする請求項１２に記載の無線通信システムで１対多サービスデータを伝達する物理チャネルの有効性を示す方法。
【請求項１４】
前記システムフレーム番号（ＳＦＮ）は、前記構成情報が伝送されるセルのシステムフレーム番号であることを特徴とする請求項１２に記載の無線通信システムで１対多サービスデータを伝達する物理チャネルの有効性を示す方法。
【請求項１５】
チャネルの構成情報と該構成情報の有効性を示す有効性情報を含んだメッセージを受信する段階と、
前記有効性情報によって前記構成情報を利用して前記チャネルを受信する段階と、を含むことを特徴とする無線通信システムで１対多サービスデータを伝達する物理チャネルの有効性を示す方法。
【請求項１６】
前記メッセージは、ＭＣＣＨを介して受信される制御メッセージであることを特徴とする請求項１５に記載の無線通信システムで１対多サービスデータを伝達する物理チャネルの有効性を示す方法。
【請求項１７】
前記構成情報は、臨界情報であることを特徴とする請求項１６に記載の無線通信システムで１対多サービスデータを伝達する物理チャネルの有効性を示す方法。
【請求項１８】
前記チャネルは、ＳＣＣＰＣＨであることを特徴とする請求項１５に記載の無線通信システムで１対多サービスデータを伝達する物理チャネルの有効性を示す方法。
【請求項１９】
前記メッセージは、
ＭＢＭＳ共通１対多無線ベアラ（ｐ−ｔ−ｍ  ｒｂ）情報と、
ＭＢＭＳ現在セル１対多無線ベアラ情報と、
ＭＢＭＳ一般情報と、
ＭＢＭＳ変更サービス情報と、
ＭＢＭＳ隣接セルの１対多無線ベアラ情報と、
ＭＢＭＳ未変更サービス情報の少なくとも１つであることを特徴とする請求項１５に記載の無線通信システムで１対多サービスデータを伝達する物理チャネルの有効性を示す方法。
【請求項２０】
前記有効性情報は、前記構成情報が現在の変更周期の間有効であることを示すことを特徴とする請求項１５に記載の無線通信システムで１対多サービスデータを伝達する物理チャネルの有効性を示す方法。
【請求項２１】
前記有効性情報は、前記構成情報が所定のアクティブ化時間以後に有効であることを示すことを特徴とする請求項１５に記載の無線通信システムで１対多サービスデータを伝達する物理チャネルの有効性を示す方法。
【請求項２２】
前記アクティブ化時間は、ネットワークから受信されたシステムフレーム番号（ＳＦＮ）に基づくことを特徴とする請求項２１に記載の無線通信システムで１対多サービスデータを伝達する物理チャネルの有効性を示す方法。
【請求項２３】
前記システムフレーム番号（ＳＦＮ）は、ＢＣＣＨを介してシステム情報メッセージに含まれて受信されることを特徴とする請求項２２に記載の無線通信システムで１対多サービスデータを伝達する物理チャネルの有効性を示す方法。
【請求項２４】
前記システムフレーム番号（ＳＦＮ）は、前記構成情報が受信されるセルのシステムフレーム番号であることを特徴とする請求項２２に記載の無線通信システムで１対多サービスデータを伝達する物理チャネルの有効性を示す方法。
【請求項２５】
前記有効性情報は、前記構成情報が所定のアクティブ化時間まで有効であることを示すことを特徴とする請求項１５に記載の無線通信システムで１対多サービスデータを伝達する物理チャネルの有効性を示す方法。
【請求項２６】
前記アクティブ化時間は、ネットワークから受信されたシステムフレーム番号（ＳＦＮ）に基づくことを特徴とする請求項２５に記載の無線通信システムで１対多サービスデータを伝達する物理チャネルの有効性を示す方法。
【請求項２７】
前記システムフレーム番号（ＳＦＮ）は、ＢＣＣＨを介してシステム情報メッセージに含まれて受信されることを特徴とする請求項２６に記載の無線通信システムで１対多サービスデータを伝達する物理チャネルの有効性を示す方法。
【請求項２８】
前記システムフレーム番号（ＳＦＮ）は、前記構成情報が受信されるセルのシステムフレーム番号であることを特徴とする請求項２７に記載の無線通信システムで１対多サービスデータを伝達する物理チャネルの有効性を示す方法。
【発明の詳細な説明】
【技術分野】
【０００１】
本発明は、無線通信システムでネットワークから移動端末への制御信号伝送方法に関し、より詳しくは、物理チャネル構成の有効性を示す方法に関する。
【背景技術】
【０００２】
最近、移動通信システムが飛躍的な発展をしているが、大容量のデータ通信サービスにおいては、既存の有線通信システムが提供していた性能に追いつかない。従って、大量のデータ通信を可能にする移動通信システム、ＩＭＴ‐２０００の技術開発が推進されており、その技術の標準化のために、企業及び組織間の協力が活発に行われている。
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代の移動通信システムであって、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤としてより向上した移動通信サービスの提供を目標とする。
【０００４】
ＵＭＴＳ技術の標準化作業のために１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）というプロジェクトを構成し、現在までＵＭＴＳの詳細な標準仕様を作成中である。
【０００５】
３ＧＰＰにおいては、各ネットワーク構成要素とこれらの動作の独立性を考慮してＵＭＴＳの標準化作業を５つの技術仕様グループ（ＴＳＧ：Ｔｅｃｈｎｉｃａｌ  Ｓｐｅｃｉｆｉｃａｔｉｏｎ  Ｇｒｏｕｐｓ）に分けて進めている。
【０００６】
各ＴＳＧは、関連した領域内で標準仕様の開発、承認、及びその管理を担当するが、これらのうち無線アクセスネットワーク（ＲＡＮ：Ｒａｄｉｏ  Ａｃｃｅｓｓ  Ｎｅｔｗｏｒｋ）グループ（ＴＳＧ  ＲＡＮ）は、ＵＭＴＳでＷＣＤＭＡアクセス技術をサポートするための新しい無線アクセスネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項、及びインタフェースの仕様を開発する。
【０００７】
従来のＵＭＴＳネットワーク１の構造は、図１に示すように、端末又はユーザ装置（ＵＥ）１０、ＵＴＲＡＮ１００、及びコアネットワーク（ＣＮ）２００からなる。
【０００８】
前記ＵＴＲＡＮ１００は、１つ以上の無線ネットワークサブシステム（Ｒａｄｉｏ  Ｎｅｔｗｏｒｋ  Ｓｕｂｓｙｓｔｅｍｓ：ＲＮＳ）１１０、１２０から構成される。各ＲＮＳ１１０、１２０は、無線ネットワーク制御装置（Ｒａｄｉｏ  Ｎｅｔｗｏｒｋ  Ｃｏｎｔｒｏｌｌｅｒ：ＲＮＣ）１１１、並びに該ＲＮＣ１１１が管理する複数の基地局もしくは各Ｎｏｄｅ  Ｂ１１２、１１３から構成される。前記ＲＮＣ１１１は、無線資源の割当及び管理を担当して前記コアネットワーク２００とのアクセスポイントの役割を果たす。
【０００９】
各Ｎｏｄｅ  Ｂ１１２、１１３は、アップリンクで端末の物理層により伝送された信号を受信し、ダウンリンクで端末にデータを伝送する。各Ｎｏｄｅ  Ｂ１１２、１１３は、端末と前記ＵＴＲＡＮ１００とを接続するアクセスポイントの役割を果たす。
【００１０】
前記ＵＴＲＡＮ１００の主な機能は、端末とコアネットワーク２００間の通信のために無線アクセスベアラ（Ｒａｄｉｏ  Ａｃｃｅｓｓ  Ｂｅａｒｅｒ：ＲＡＢ）を形成して維持することである。前記コアネットワーク２００は、エンドツーエンドサービス品質（Ｑｕａｌｉｔｙ  ｏｆ  Ｓｅｒｖｉｃｅ：ＱｏＳ）要求事項をＲＡＢに提供し、該ＲＡＢは、コアネットワーク３０が設定したＱｏＳ要求事項をサポートする。従って、ＵＴＲＡＮは、ＲＡＢを構成して維持することによってエンドツーエンドＱｏＳ要求事項を充足させることができる。また、前記ＲＡＢサービスは、Ｉｕベアラサービス及び無線ベアラサービスにさらに分類することができる。前記Ｉｕベアラサービスは、前記ＵＴＲＡＮ１００の各境界ノードと前記コアネットワーク２００間におけるユーザデータの信頼し得る伝送をサポートする。
【００１１】
前記コアネットワーク２００は、互いに接続されて回線交換（Ｃｉｒｃｕｉｔ  Ｓｗｉｔｃｈｅｄ：ＣＳ）サービスをサポートする移動交換局（Ｍｏｂｉｌｅ  Ｓｗｉｔｃｈｉｎｇ  Ｃｅｎｔｅｒ：ＭＳＣ）とゲートウェイ移動交換局（ＧＭＳＣ）２２０、及び互いに接続されてパケット交換（Ｐａｃｋｅｔ  Ｓｗｉｔｃｈｅｄ：ＰＳ）サービスをサポートするサービングＧＰＲＳサポートノード（ＳＧＳＮ）２３０とゲートウェイＧＰＲＳサポートノード２４０を備える。
【００１２】
特定の端末に提供されるサービスは、ＣＳサービスとＰＳサービスに大別することができる。例えば、一般的な音声対話サービスは回線交換（ＣＳ）サービスに分類され、インターネット接続によるウェブブラウジングサービスはパケット交換（ＰＳ）サービスに分類される。
【００１３】
前記ＣＳサービスをサポートする場合、前記各ＲＮＣ１１１は、前記コアネットワーク２００のＭＳＣ２１０と接続される。該ＭＳＣ２１０は、他の各ネットワークとの接続を管理するＧＭＳＣ２２０と接続される。
【００１４】
前記ＰＳサービスをサポートする場合、前記各ＲＮＣ１１１は、前記コアネットワーク２００のＳＧＳＮ２３０及びＧＧＳＮ２４０と接続される。前記ＳＧＳＮ２３０は、前記各ＲＮＣ１１１へのパケット通信をサポートし、前記ＧＧＳＮ２４０は、インターネットのような他のパケット交換ネットワークとの接続を担当する。
【００１５】
各ネットワーク構成要素の間には、多様な類型の各インタフェースが存在し、相互通信時、これらネットワーク構成要素が互いに情報を送受信するようにする。前記ＲＮＣ１１１とコアネットワーク２００間のインタフェースは、Ｉｕインタフェースと定義される。特に、パケット交換システムの場合、前記ＲＮＣ１１１とコアネットワーク２００間のＩｕインタフェースを「Ｉｕ−ＰＳ」と定義し、回線交換システムの場合、前記ＲＮＣ１１１とコアネットワーク２００間のＩｕインタフェースを「Ｉｕ−ＣＳ」と定義する。
【００１６】
図２は、３ＧＰＰ無線アクセスネットワーク標準に準拠した端末とＵＴＲＡＮ間の各無線インタフェースプロトコルの構造を示す図である。
【００１７】
前記図２に示すように、前記無線インタフェースプロトコルは、水平的に物理層、データリンク層、及びネットワーク層から構成され、垂直的には、ユーザデータを伝送するためのユーザプレーン（Ｕ−ｐｌａｎｅ）と制御情報を伝送するための制御プレーン（Ｃ−ｐｌａｎｅ）から構成される。
【００１８】
前記ユーザプレーンは、音声やＩＰ（Ｉｎｔｅｒｎｅｔ  Ｐｒｏｔｏｃｏｌ）パケットのようなユーザのトラフィック情報を管理する領域を意味し、前記制御プレーンは、ネットワークのインタフェース、呼の維持及び管理などに関する制御情報を管理する領域を意味する。
【００１９】
図２の各プロトコル層は、ＯＳＩ（Ｏｐｅｎ  Ｓｙｓｔｅｍ  Ｉｎｔｅｒｃｏｎｎｅｃｔｉｏｎ）参照モデルの下位３層に基づいて第１層（Ｌ１）、第２層（Ｌ２）及び第３層（Ｌ３）に区分することができる。以下、各層について詳細に説明する。
【００２０】
前記第１層（Ｌ１）、すなわち、物理層（Ｐｈｙｓｉｃａｌ  Ｌａｙｅｒ：ＰＨＹ）は、多様な無線送信技術により上位層に情報伝送サービス（Ｉｎｆｏｒｍａｔｉｏｎ  Ｔｒａｎｓｆｅｒ  Ｓｅｒｖｉｃｅ）を提供し、伝送チャネルを介して上位層である媒体アクセス制御（Ｍｅｄｉｕｍ  Ａｃｃｅｓｓ  Ｃｏｎｔｒｏｌ：ＭＡＣ）層と接続されている。これらＭＡＣ層とＰＨＹ層は、伝送チャネルを介して互いにデータを交換する。
【００２１】
第２層（Ｌ２）は、ＭＡＣ層、無線リンク制御（Ｒａｄｉｏ  Ｌｉｎｋ  Ｃｏｎｔｒｏｌ：ＲＬＣ）層、ブロードキャスト／マルチキャスト制御（Ｂｒｏａｄｃａｓｔ／Ｍｕｌｔｉｃａｓｔ  Ｃｏｎｔｒｏｌ：ＢＭＣ）層、及びパケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層を含む。
【００２２】
前記ＭＡＣ層は、無線資源の割当及び再割当のためにＭＡＣパラメータの割当サービスを提供し、論理チャネルを介して上位層のＲＬＣ層と接続される。
【００２３】
伝送される情報の種類によって多様な論理チャネルが提供されるが、一般に、制御プレーンの情報を伝送する場合には制御チャネルを利用し、ユーザプレーンの情報を伝送する場合にはトラフィックチャネルを利用する。論理チャネルは、共有するか否かによって共通チャネル、又は専用チャネルになる。論理チャネルには、ＤＴＣＨ（Ｄｅｄｉｃａｔｅｄ  Ｔｒａｆｆｉｃ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＣＴＣＨ（Ｃｏｍｍｏｎ  Ｔｒａｆｆｉｃ  Ｃｈａｎｎｅｌ）、ＣＣＣＨ（Ｃｏｍｍｏｎ  Ｃｏｎｔｒｏｌ  Ｃｈａｎｎｅｌ）、ＢＣＣＨ（Ｂｒｏａｄｃａｓｔ  Ｃｏｎｔｒｏｌ  Ｃｈａｎｎｅｌ）、並びにＰＣＣＨ（Ｐａｇｉｎｇ  Ｃｏｎｔｒｏｌ  Ｃｈａｎｎｅｌ）もしくはＳＨＣＣＨ（Ｓｈａｒｅｄ  Ｃｈａｎｎｅｌ  Ｃｏｎｔｒｏｌ  Ｃｈａｎｎｅｌ）がある。前記ＢＣＣＨは、端末が活用した情報を含む情報を提供してシステムにアクセスする。ＵＴＲＡＮは、前記ＰＣＣＨを利用して端末にアクセスする。
【００２４】
ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）あるいはＭＢＭＳサービスは、１対多無線ベアラ及び１対１無線ベアラの少なくとも１つを活用するダウンリンク専用ＭＢＭＳ無線ベアラを利用して複数のＵＥにストリーミングやバックグラウンドサービスを提供する方法を意味する。１つのＭＢＭＳサービスは、１つ以上のセッションを含み、該セッション中である時にのみＭＢＭＳデータが前記ＭＢＭＳ無線ベアラで複数の端末に伝送される。
【００２５】
前記名称から分かるように、ＭＢＭＳは、ブロードキャストモードやマルチキャストモードで行われる。前記ブロードキャストモードは、ブロードキャストが可能なドメインのようなブロードキャスト地域内の全てのＵＥにマルチメディアデータを伝送するためのものである。前記マルチキャストモードは、マルチキャストサービスが可能なドメインのようなマルチキャスト地域内の特定のＵＥグループにマルチメディアデータを伝送するためのものである。
【００２６】
ＭＢＭＳの目的のために、トラフィック及び各制御チャネルがさらに存在する。例えば、ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）を使用してＭＢＭＳ制御情報を伝送し、ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）を使用してＭＢＭＳサービスデータを伝送する。
【００２７】
互いに異なる各論理チャネルのリストを下記に示す。
【００２８】
【数１】
2007533248.tif 000003
ＭＡＣ層は、各伝送チャネルで物理層と接続され、管理される伝送チャネルの形態によってＭＡＣ−ｂ副層、ＭＡＣ−ｄ副層、ＭＡＣ−ｃ／ｓｈ副層、及びＭＡＣ−ｈｓ副層に分けることができる。
【００２９】
前記ＭＡＣ−ｂ副層は、システム情報のブロードキャストを担当する伝送チャネルであるＢＣＨ（Ｂｒｏａｄｃａｓｔ  Ｃｈａｎｎｅｌ）を管理する。前記ＭＡＣ−ｄ副層は、特定の端末に対する専用伝送チャネルであるＤＣＨ（Ｄｅｄｉｃａｔｅｄ  Ｃｈａｎｎｅｌ）を管理する。従って、ＵＴＲＡＮのＭＡＣ−ｄ副層は、該当端末を管理するＳＲＮＣ（Ｓｅｒｖｉｎｇ  Ｒａｄｉｏ  Ｎｅｔｗｏｒｋ  Ｃｏｎｔｒｏｌｌｅｒ）に位置し、１つのＭＡＣ−ｄ副層は、各端末（ＵＥ）内に存在する。
【００３０】
前記ＭＡＣ−ｃ／ｓｈ副層は、複数の端末が共有するＦＡＣＨ（Ｆｏｒｗａｒｄ  Ａｃｃｅｓｓ  Ｃｈａｎｎｅｌ）やＤＳＣＨ（Ｄｏｗｎｌｉｎｋ  Ｓｈａｒｅｄ  Ｃｈａｎｎｅｌ）のような共通伝送チャネル、あるいは、アップリンクでは、ＲＡＣＨ（Ｒａｄｉｏ  Ａｃｃｅｓｓ  Ｃｈａｎｎｅｌ）を管理する。ＵＴＲＡＮにおいて、前記ＭＡＣ−ｃ／ｓｈ副層は、ＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）内に位置する。前記ＭＡＣ−ｃ／ｓｈ副層がセル領域内の全ての端末が共有しているチャネルを管理するために、各セル領域内には、１つのＭＡＣ−ｃ／ｓｈ副層が存在する。また、１つのＭＡＣ−ｃ／ｓｈ副層は、各端末（ＵＥ）にも存在する。図３は、ＵＥの観点から論理チャネルと伝送チャネル間の可能なマッピングを示しており、図４は、ＵＴＲＡＮの観点から論理チャネルと伝送チャネル間の可能なマッピングを示している。
【００３１】
ＲＬＣ層は、信頼性のあるデータ伝送をサポートし、上位層から伝送された複数のＲＬＣサービスデータユニット（ＲＬＣ  ＳＤＵｓ）に対する分割及び接続機能を実行する。ＲＬＣ層は、上位層から前記ＲＬＣ  ＳＤＵを受信すると、処理容量を考慮して適当な方式により各ＲＬＣ  ＳＤＵの大きさを調節してヘッダ情報が付加された所定のデータユニットを生成する。前述したように生成されたデータユニットをプロトコルデータユニット（ＰＤＵｓ）という。前記各ＰＤＵは、論理チャネルを介してＭＡＣ層に伝送される。前記ＲＬＣ層は、前記各ＲＬＣ  ＳＤＵ及び／又は各ＲＬＣ  ＰＤＵを保存するためのＲＬＣバッファを含む。
【００３２】
ＢＭＣ層は、コアネットワークから受信されたセルブロードキャストメッセージ（Ｃｅｌｌ  Ｂｒｏａｄｃａｓｔ  Ｍｅｓｓａｇｅ、「ＣＢ」メッセージという）をスケジューリングし、該ＣＢメッセージを特定のセルに位置する各端末にブロードキャストする。ＵＴＲＡＮのＢＭＣ層は、上位層から受信されたＣＢメッセージにメッセージＩＤ、シリアルナンバー、及びコーディング方法のような情報を追加してＢＭＣメッセージを生成した後、ＲＬＣ層に伝達する。前記ＢＭＣメッセージは、論理チャネル（すなわち、ＣＴＣＨ）を介してＲＬＣ層からＭＡＣ層に伝送される。前記ＣＴＣＨは、伝送チャネル（すなわち、ＦＡＣＨ）にマッピングされ、前記ＦＡＣＨは、物理チャネル（すなわち、Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ））にマッピングされる。
【００３３】
ＲＬＣ層の上位層のＰＤＣＰ層は、ＩＰｖ４又はＩＰｖ６などのネットワークプロトコルで伝送されたデータが相対的に小さい帯域幅を有する無線インタフェースに効果的に伝送されるようにする。これを達成するために、ＰＤＣＰ層は、有線ネットワークで使用された不要な制御情報を減らすが、このような機能をヘッダ圧縮という。
【００３４】
無線資源制御（Ｒａｄｉｏ  Ｒｅｓｏｕｒｃｅ  Ｃｏｎｔｒｏｌ：ＲＲＣ）層は、第３層（Ｌ３）の最も下位に位置する層であり、制御プレーンでのみ定義される。前記ＲＲＣ層は、無線ベアラ（ＲＢｓ）の設定、再設定、及び解除に関する論理チャネル、伝送チャネル、及び物理チャネルを制御する。前記無線ベアラサービスは、端末とＵＴＲＡＮ間のデータ伝送のために第２層（Ｌ２）が提供するサービスを意味する。一般に、無線ベアラの設定とは、特定のデータサービスを提供するために必要なプロトコル層及びチャネルの特性を規定し、前記サービスに対する詳細なパラメータ及び動作方法を設定する過程を意味する。
【００３５】
ＲＬＣ層は、上位に接続された層のタイプによってユーザプレーン又は制御プレーンに属する。すなわち、ＲＬＣ層がＲＲＣ層からデータを受信する場合は、前記ＲＬＣ層は制御プレーンに属し、他の場合はユーザプレーンに属する。
【００３６】
各無線ベアラと伝送チャネル間のマッピングが互いに異なる可能性が常にあるわけではない。ＵＥ／ＵＴＲＡＮは、ＵＥの状態やＵＥ／ＵＴＲＡＮが現在行っている過程に従って可能なマッピングを推論する。異なる状態やモードについての説明は、次の通りである。
【００３７】
互いに異なる各伝送チャネルは、互いに異なる物理チャネルにマッピングされる。例えば、ＲＡＣＨ伝送チャネルは所定のＰＲＡＣＨに、ＤＣＨはＤＰＣＨに、ＦＡＣＨ及びＰＣＨはＳ−ＣＣＰＣＨに、ＤＳＣＨはＰＤＳＣＨにマッピングされる。物理チャネルの構成は、ＲＮＣとＵＥ間のＲＲＣシグナリング交換により行われる。
【発明の開示】
【発明が解決しようとする課題】
【００３８】
前記ＭＣＣＨで伝送される各メッセージは、メッセージ自身を伝達する使用可能な無線チャネルに関する情報だけではなく、アクティブ化されたサービスに関する情報と現在のセルと周辺のセル上の１対多（ＰＴＭ）無線ベアラの構成に関する情報の全てを伝達しなければならない。ＭＣＣＨ情報は、変更周期で周期的に伝送される。一方、ＵＥは、変更周期の間、いつでも前記ＭＣＣＨ情報を伝達するメッセージを判読することができる。チャネル構成のような前記メッセージの各内容は、他の説明がなくても次の変更周期の間、利用することができる。そうではない場合には、全てのＵＥが前記メッセージを判読することを保障することができない。これは、物理チャネル構成を修正するにあたって柔軟性を制限するために、より柔軟な方式の変更を含むメカニズムが要求されるからである。
【００３９】
従って、本発明は、ＳＣＣＰＣＨ構成の妥当性（正当性、有効性）を示すための方法を提供することを目的とする。
【課題を解決するための手段】
【００４０】
本発明の付加的な特性及び利点を以下に説明するが、その一部は以下の説明により明白になるか、又は本発明の実行により熟知されるであろう。本発明の目標及び他の利点は、特に、以下の説明及び添付図面だけではなく、請求項で指摘した構造により実現されるであろう。
【００４１】
前記の目的を達成するために、本発明は、無線通信システムで１対多サービスデータを伝達する物理チャネルの妥当性（有効性、正当性）を示す方法に関し、該方法は、チャネルの構成情報を含むメッセージを生成する段階と、前記メッセージに前記構成情報の有効性を示す有効性情報を含ませる段階と、前記メッセージを移動端末に送信する段階と、を含む。
【００４２】
好ましくは、前記メッセージはＭＣＣＨを介して伝送される制御メッセージであり、前記構成情報はクリティカル（臨界）情報であり、前記チャネルはＳＣＣＰＣＨである。
【００４３】
好ましくは、前記メッセージは、ＭＢＭＳ共通１対多無線ベアラ（ｐ−ｔ−ｍ  ｒｂ）情報、ＭＢＭＳ現在セル１対多無線ベアラ情報、ＭＢＭＳ一般情報、ＭＢＭＳサービス情報、ＭＢＭＳ隣接セル１対多無線ベアラ情報、ＭＢＭＳ修正（変更）要求及びＭＢＭＳ未変更サービス情報の少なくとも１つである。
【００４４】
好ましくは、前記有効性情報は、前記構成情報が現在の変更周期の間有効であることを示す。また、前記有効性情報は、前記構成情報が所定のアクティブ化時間以後に有効であることを示す。前記アクティブ化時間は、ネットワークから移動端末に伝送されたシステムフレーム番号（ｓｙｓｔｅｍ  ｆｒａｍｅ  ｎｕｍｂｅｒ：ＳＦＮ）に基づく。前記ＳＦＮは、ＢＣＣＨを介してシステム情報メッセージに送信され、前記構成情報が伝送されるセルのシステムフレーム番号を示す。
【００４５】
また、前記有効性情報は、前記構成情報が所定のアクティブ化時間まで有効であることを示し得る。前記アクティブ化時間は、ネットワークから移動端末に伝送されたシステムフレーム番号（ＳＦＮ）に基づく。前記ＳＦＮは、ＢＣＣＨを介してシステム情報メッセージに含まれて送信され、前記構成情報が伝送されるセルのシステムフレーム番号を示す。
【００４６】
本発明の他の目的において、無線通信システムで１対多サービスを伝達する物理チャネルの有効性を示す方法は、チャネルの構成情報と該構成情報の有効性を示す有効性情報を含むメッセージを受信する段階と、前記有効性情報に基づいて前記構成情報を利用して前記チャネルを受信する段階と、を含む。
【００４７】
好ましくは、前記メッセージはＭＣＣＨを介して受信される制御メッセージであり、前記構成情報はクリティカル（臨界）情報であり、前記チャネルはＳＣＣＰＣＨである。
【００４８】
好ましくは、前記メッセージは、ＭＢＭＳ共通１対多無線ベアラ（ｐ−ｔ−ｍ  ｒｂ）情報、ＭＢＭＳ現在セル１対多無線ベアラ情報、ＭＢＭＳ一般情報、ＭＢＭＳサービス情報、ＭＢＭＳ隣接セルの１対多無線ベアラ情報、ＭＢＭＳ修正（変更）要求及びＭＢＭＳ未変更サービス情報の少なくとも１つである。
【００４９】
好ましくは、前記有効性情報は、前記構成情報が現在の変更周期の間有効であることを示す。また、前記有効性情報は、前記構成情報が所定のアクティブ化時間以後に有効であることを示す。前記アクティブ化時間は、ネットワークから受信されたシステムフレーム番号（ＳＦＮ）に基づく。前記ＳＦＮは、ＢＣＣＨを介してシステム情報メッセージに含まれて受信され、前記構成情報が受信されるセルのシステムフレーム番号を示す。
【００５０】
また、前記有効性情報は、前記構成情報が所定のアクティブ化時間まで有効であることを示し得る。前記アクティブ化時間は、ネットワークから受信されたシステムフレーム番号（ＳＦＮ）に基づく。前記ＳＦＮは、ＢＣＣＨを介してシステム情報メッセージに含まれて受信され、前記構成情報が受信されるセルのシステムフレーム番号を示す。
【００５１】
下記の本発明の一般的な記載と詳細な掲載は例示的なものであり、請求項に指摘されたように、本発明のよりよい説明のために提供されたものであることを認知するべきである。
【発明の効果】
【００５２】
本発明は、ＳＣＣＰＣＨ構成の妥当性（正当性、有効性）を示すための方法を提供し、より柔軟な方式の変更を行うメカニズムを提供するという効果がある。
【発明を実施するための最良の形態】
【００５３】
本発明は、チャネル構成の有効性を示す方法に関する。好ましくは、本発明は、ＳＣＣＰＣＨのようにＭＢＭＳサービスを伝達する物理チャネルの構成が、現在の変更周期の間あるいはそれ以上の間有効であるか、所定のアクティブ化時間以後に有効であるか、あるいは所定のアクティブ化時間まで有効であるかを示す。従って、端末が有効でない物理チャネル構成を使用するという問題が避けられる。
【００５４】
ＲＲＣモードは、端末のＲＲＣとＵＴＲＡＮのＲＲＣ間に論理接続が存在するかを示す。接続が存在する場合、前記端末は、ＲＲＣ接続モードである。接続が存在しない場合、前記端末は、アイドルモードである。ＲＲＣ接続モードである各端末に対してＲＲＣ接続が存在するために、ＵＴＲＡＮは、セルユニット内に特定の端末が存在するか否か、例えば、ＲＲＣ接続モードの端末がどのセルもしくはセルのセットに存在するか、並びにどのような物理チャネルをＵＥがリッスンしているかを判断し得るので、端末を効果的に制御することができる。
【００５５】
一方、ＵＴＲＡＮは、アイドルモードである端末が存在するか否かを判断することができない。アイドルモードである端末が存在するか否かは、コアネットワークによってのみ判断される。特に、前記コアネットワークは、ロケーションやルーティング領域のようにセルより大きい地域内でのみアイドルモードの端末が存在するか否かを検出することができる。従って、アイドルモード端末が存在するか否かは、大きい地域内で判断される。音声やデータのような移動通信サービスを受けるために、アイドルモードの端末は、ＲＲＣ接続モードに移るか、又は変更しなければならない。モード及び各状態間の可能な変化についての説明は、図５に示す通りである。
【００５６】
ＲＲＣ接続モードであるＵＥは、ＣＥＬＬ＿ＦＡＣＨ状態、ＣＥＬＬ＿ＰＣＨ状態、ＣＥＬＬ＿ＤＣＨ状態、ＵＲＡ＿ＰＣＨ状態のような異なる状態でもよい。前記の状態により、ＵＥは、異なる各チャネルをリッスンすることができる。例えば、ＣＥＬＬ＿ＤＣＨ状態の端末は、（様々なチャネルのうち）ＤＴＣＨ及びＤＣＣＨ伝送チャネルを含み、特定のＤＰＣＨにマッピングし得るＤＣＨタイプの各伝送チャネルをリッスンしようとするであろう。ＣＥＬＬ＿ＦＡＣＨ状態であるＵＥは、特定のＳ−ＣＣＰＣＨ物理チャネルにマッピングされるいくつかのＦＡＣＨ伝送チャネルをリッスンするであろう。ＰＣＨ状態であるＵＥは、特定のＳ−ＣＣＰＣＨ物理チャネルにマッピングされるＰＩＣＨチャネル及びＰＣＨチャネルをリッスンするであろう。
【００５７】
また、前記ＵＥは、状態によって異なる役割を果たす。例えば、異なる条件により、ＣＥＬＬ＿ＦＡＣＨ状態であるＵＥは、ＵＥ自身が１つのセルの適用範囲から他のセルの適用範囲に移動する度にセルアップデート過程を開始する。前記ＵＥは、Ｎｏｄｅ  Ｂにセルアップデートメッセージを送信してＵＥ自身の位置変更を通知することで、前記セルアップデート過程を開始する。前記ＵＥは、ＦＡＣＨのリッスンを開始する。この過程は、前記ＵＥが他の状態からＣＥＬＬ＿ＦＡＣＨ状態に変化して有効なＣ−ＲＮＴＩを有していない場合、例えば、前記ＵＥがＣＥＬＬ＿ＰＣＨ状態やＣＥＬＬ＿ＤＣＨ状態から変化したか、又はＣＥＬＬ＿ＦＡＣＨ状態のＵＥが適用範囲を出た場合にさらに実行される。
【００５８】
前記ＣＥＬＬ＿ＤＣＨ状態において、ＵＥは、専用無線資源が与えられて共有無線資源も利用する。これによりＵＥは、高いデータレートで効率的にデータを交換することができる。しかし、前記無線資源は限られているため、ＵＴＲＡＮはそれらを効率的に利用して互いに異なるＵＥが必要なサービス品質を得ることのできるように各ＵＥ間に無線資源を割り当てる。
【００５９】
ＣＥＬＬ＿ＦＡＣＨ状態のＵＥは、割り当てられた専用無線資源を有していないため、共有チャネルを介してのみＵＴＲＡＮと通信することができる。従って、ＵＥは無線資源をほとんど消耗しない。しかし、有効データレートは限られている。さらに、ＵＥは、前記共有チャネルをモニタリングしなければならない。その結果、ＵＥが伝送を行っていない場合でもＵＥバッテリの消耗が増加する。
【００６０】
ＣＥＬＬ＿ＰＣＨ／ＵＲＡ＿ＰＣＨ状態のＵＥは、専用状況のみでページングチャネルをモニタリングし、バッテリの消耗を最小化する。しかし、ネットワークがＵＥにアクセスしようとする場合、前記ページング時にこれらの要求を先に通知しなければならない。その後、ＵＥが前記ページングに応答した場合にのみ、前記ネットワークは、ＵＥにアクセスすることができる。また、前記ＵＥは、ＵＴＲＡＮにデータを伝送しようとする場合、さらなる遅延を通知するセルアップデート過程を行った後にのみネットワークにアクセスすることができる。
【００６１】
主なシステム情報をＰ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）上にマッピングされるＢＣＣＨ論理チャネルで伝送する。特定のシステム情報ブロックは、ＦＡＣＨチャネルで伝送される。前記システム情報をＦＡＣＨで伝送すると、ＵＥは、前記Ｐ−ＣＣＰＣＨで受信されたＢＣＣＨや専用チャネルで前記ＦＡＣＨの構成を受信する。前記システム情報を前記Ｐ−ＣＣＰＣＨを介して前記ＢＣＣＨで伝送すると、各フレーム又は２フレーム毎に前記ＳＦＮが伝送されてＵＥとＮｏｄｅ  Ｂ間の同一のタイミング基準を共有するのに使用される。前記Ｐ−ＣＣＰＣＨは、セルの１次的な（ｐｒｉｍａｒｙ）スクランブル符号であるＰ−ＣＰＩＣＨ（Ｐｒｉｍａｒｙ  Ｃｏｍｍｏｎ  Ｐｉｌｏｔ  Ｃｈａｎｎｅｌ）と同一のスクランブル符号を利用して伝送される。各チャネルは、ＷＣＤＭＡシステムで一般に利用する拡散符号を利用する。各符号は、前記符号の長さに該当拡散率（Ｓｐｒｅａｄｉｎｇ  Ｆａｃｔｏｒ：ＳＦ）により区別される。所定の拡散率（ＳＦ）の場合、直交符号の数は、前記符号の長さと一致する。各ＳＦの場合、ＵＭＴＳシステムに記述されたように、所定の直交符号セットに０からＳＦ‐１までの番号が与えられている。各符号は、符号自身の長さ（すなわち、拡散率）と符号に与えられた番号を提示することによって識別される。前記Ｐ−ＣＣＰＣＨが使用する拡散符号は、常に固定された拡散率２５６を有し、その番号は１である。ＵＥは、ＵＥ自身が既に判読した各隣接セルのシステム情報に関してネットワークから伝送された情報により、又はＤＣＣＨチャネルで受信したメッセージにより、又は固定されたＳＦ  ２５６と拡散符号番号０を利用して伝送され、固定されたパターンを伝送するＰ−ＣＰＩＣＨを検索することにより、前記１次的なスクランブル符号が分かる。
【００６２】
前記システム情報には、各隣接セル、各ＲＡＣＨ及びＦＡＣＨ伝送チャネルなどの構成、並びにＭＢＭＳサービスのための専用チャネルであるＭＣＣＨの構成に関する情報が含まれている。ＵＥがセルを変更する度に、前記ＵＥは、一時的に滞在するか、又はアイドルモードとなる。ＵＥが（ＣＥＬＬ＿ＦＡＣＨ、ＣＥＬＬ＿ＰＣＨ、あるいはＵＲＡ＿ＰＣＨ状態で）何れかのセルを選択すると、有効なシステム情報を有しているかを検証する。
【００６３】
前記システム情報は、ＳＩＢｓ（Ｓｙｓｔｅｍ  Ｉｎｆｏｒｍａｔｉｏｎ  Ｂｌｏｃｋｓ）、ＭＩＢ（Ｍａｓｔｅｒ  Ｉｎｆｏｒｍａｔｉｏｎ  Ｂｌｏｃｋ）及び各スケジューリングブロックから構成される。前記ＭＩＢは非常に頻繁に伝送され、スケジューリングブロックと互いに異なる各ＳＩＢのタイミング情報を提供する。バリュータグ（ｖａｌｕｅ  ｔａｇ）にリンクされた各ＳＩＢの場合、前記ＭＩＢは、一部分の各ＳＩＢの最新バージョンに関する情報をも含む。バリュータグにリンクされていないＳＩＢは、期限タイマーにリンクされる。期限タイマーにリンクされた各ＳＩＢは無効になり、前記ＳＩＢの最新判読時間が期限タイマー値より大きい場合、再判読する必要がある。バリュータグにリンクされた各ＳＩＢは、ＭＩＢからブロードキャストされたバリュータグと同一のバリュータグを有する場合にのみ有効である。各ブロックは、Ｃｅｌｌ、ＰＬＭＮ（Ｐｕｂｌｉｃ  Ｌａｎｄ  Ｍｏｂｉｌｅ  Ｎｅｔｗｏｒｋ）、又は等価（ｅｑｕｉｖａｌｅｎｔ）ＰＬＭＮのような前記ＳＩＢが何れのセルで有効であるかを示す有効面積範囲を有する。面積範囲「Ｃｅｌｌ」を有するＳＩＢは、ＳＩＢ自身が判読されたセルに対してのみ有効である。面積範囲「ＰＬＭＮ」を有するＳＩＢは、全てのＰＬＭＮで有効であり、面積範囲「等価ＰＬＭＮ」を有するＳＩＢは、全てのＰＬＭＮと等価ＰＬＭＮで有効である。
【００６４】
一般に、各ＵＥは、各ＵＥが選択した、すなわち、各ＵＥが滞在しているセルがアイドルモード、ＣＥＬＬ＿ＦＡＣＨ状態、ＣＥＬＬ＿ＰＣＨ状態、あるいはＵＲＡ＿ＰＣＨ状態である時、前記システム情報を判読する。前記システム情報から、各ＵＥは、同一周波数、異なる周波数及び異なるＲＡＴ（Ｒａｄｉｏ  Ａｃｃｅｓｓ  Ｔｅｃｈｎｏｌｏｇｉｅｓ）の隣接セルに関する情報を得る。これによってＵＥは、何れのセルがセル再選択のための候補セルであるかが分かる。
【００６５】
３ＧＰＰシステムにおいては、マルチメディアブロードキャストマルチキャストサービス（ＭＢＭＳ）を提供する。前記３ＧＰＰ  ＴＳＧ  ＳＡ（Ｓｅｒｖｉｃｅ  ａｎｄ  Ｓｙｓｔｅｍ  Ａｓｐｅｃｔ）は、ＭＢＭＳサービスをサポートするために要求される多様なネットワーク要素及び該当機能を定義する。従来の技術が提供していたセルブロードキャストサービスは、テキストタイプショートメッセージが特定の領域にブロードキャストされるサービスに限定される。しかし、前記ＭＢＭＳサービスは、該当サービスに加入した各端末（ＵＥ）にマルチメディアデータをブロードキャストするだけではなく、マルチメディアデータをマルチキャストし得るより進歩したサービスを意味する。
【００６６】
ＭＢＭＳサービスは、共通又は専用下りチャネルを利用して複数の端末にストリーミングやバックグラウンドサービスを提供する下り専用サービスである。ＭＢＭＳサービスは、ブロードキャストモードとマルチキャストモードに分けられる。ＭＢＭＳブロードキャストモードは、ブロードキャスト地域内に位置する全てのユーザにマルチメディアデータを容易に伝送し得るようにし、ＭＢＭＳマルチキャストモードは、マルチキャスト地域内に位置する特定のユーザグループにマルチメディアデータを容易に伝送し得るようにする。前記ブロードキャスト地域は、ブロードキャストサービスが可能な領域を意味し、マルチキャスト地域は、マルチキャストサービスが可能な領域を意味する。
【００６７】
図６は、マルチキャストモードを利用して特定のＭＢＭＳサービスを提供する過程を示している。前記手順は、２タイプの動作（すなわち、ＵＴＲＡＮにトランスペアレントな動作とトランスペアレントでない動作）に分けることができる。
【００６８】
以下、トランスペアレントな動作について説明する。ＭＢＭＳサービスを受信しようとするユーザは、ＭＢＭＳサービスを受信し、ＭＢＭＳサービスに関する情報を受信し、特定セットのＭＢＭＳサービスに参加するために、まずサービスに加入しなければならない。サービス案内（Ｓｅｒｖｉｃｅ  Ａｎｎｏｕｎｃｅｍｅｎｔ）は、端末に今後提供されるサービスのリストと異なる関連情報を提供する。その後、ユーザはこのようなサービスに参加することができる。このような参加により、ユーザは、ユーザが加入しているサービスに関する情報を受信しようとしていることを通知してマルチキャストサービスグループの一部となる。ユーザが所定のＭＢＭＳサービスに対する興味を失うと、ユーザは前記サービスを脱退する（すなわち、ユーザはマルチキャストサービスグループの一員ではなくなる）。このような各動作は、何れかの方法の通信方法により実行することができる（すなわち、このような各動作は、ＳＭＳ（Ｓｈｏｒｔ  Ｍｅｓｓａｇｉｎｇ  Ｓｅｒｖｉｃｅ）やインターネットアクセスにより実行することができる）。このような動作を必ずしもＵＭＴＳシステムを利用して行う必要はない。
【００６９】
ユーザがマルチキャストグループに属するサービスを受信するために、ＵＴＲＡＮにはトランスペアレントでない次の各動作が実行される。ＳＧＳＮがＲＮＣにセッションの開始を通知すると、ＲＮＣは、マルチキャストグループに属する各ＵＥに所定のサービスが始まったことを通知して前記サービスの受信を開始させる。必要な各ＵＥ動作と前記サービスのためのＰｔＭベアラ構成をブロードキャストした後、前記データ伝送を開始する。セッションが中断されると、ＳＧＳＮはＲＮＣにセッションの中断を通知し、ＲＮＣはセッションを中断する。ＳＧＳＮからのサービス伝送は、ＲＮＣがＭＢＭＳサービスデータを伝達するためのベアラサービスを提供するようにすることを意味する。
【００７０】
通知手順を行った後、ＵＥとＲＮＣとＳＧＳＮ間の異なる過程を開始し、ＲＲＣ接続の設定、ＰＳドメインへの接続の設定、周波数層の収束、集計などのデータを伝送することができる。
【００７１】
ＭＢＭＳサービスを受信すると同時に、ＣＳドメインにおける音声もしくは映像の呼び出し、ＣＳもしくはＰＳドメインにおけるＳＭＳの伝達、ＰＳドメインにおけるデータ伝達、又はＵＴＲＡＮ、ＣＳ、もしくはＰＳドメインに関するシグナリングのような他のサービスも受信することができる。
【００７２】
マルチキャストサービスとは異なり、ブロードキャストサービスにおいては、図７に示すように、サービス案内だけは、トランスペアレントな方式により実行されなければならない。加入や参加過程は必要としない。その後、ＲＮＣにトランスペアレントな前記各動作は、マルチキャストサービスに対する各動作と同一である。
【００７３】
ＭＢＭＳにおいては、ＭＣＣＨとＭＩＣＨ（ＭＢＭＳ  Ｎｏｔｉｆｉｃａｔｉｏｎ  Ｉｎｄｉｃａｔｏｒ  Ｃｈａｎｎｅｌ）の２つの制御チャネルをさらに使用する。前述したように、ＭＣＣＨは、ＦＡＣＨにマッピングされる。ＭＩＣＨは、新しい物理チャネルであり、ユーザにＭＣＣＨチャネルを読むように通知するために使用される。ＭＩＣＨは、各ＵＥにＤＲＸ（Ｄｉｓｃｏｎｔｉｎｕｏｕｓ  Ｒｅｃｅｐｔｉｏｎ）方式を行わせるために考案されたものである。前記ＤＲＸによりＵＥのバッテリの消耗を減少させることができ、セッションが始まったサービスをＵＥが認識し得るようにする。前記ＭＩＣＨは、周波数収束方式の変更、１対多（ＰｔＭ）ベアラ構成の変更、１対多（ＰｔＭ）ベアラと１対１（ＰｔＰ）ベアラのスイッチングなどをＵＥに通知するために使用される。このようなそれぞれの変化は、ＭＣＣＨが読まれることを必要とする。
【００７４】
ＭＣＣＨチャネルは、アクティブなサービス、ＭＴＣＨ構成、周波数収束などに関する情報を周期的に伝送する。ＵＥは、ＭＣＣＨ情報を判読して互いに異なる各トリガーを基準に加入しているサービスを受信する。例えば、ＭＩＣＨで所定のサービスが通知されるか、又はＤＣＣＨチャネルを介して通知されると、前記ＵＥは、セル選択／再選択後にトリガーされる。前記ＭＣＣＨは、ＭＢＭＳ共通１対多無線ベアラ（ｐ−ｔ−ｍ  ｒｂ）情報、ＭＢＭＳ現在セル１対多無線ベアラ情報、ＭＢＭＳ一般情報、ＭＢＭＳ変更サービス情報、ＭＢＭＳ隣接セル１対多無線ベアラ情報、又はＭＢＭＳ未変更サービス情報などの異なるメッセージを伝達する。
【００７５】
前記ＭＣＣＨ情報は、決められたスケジュールによって伝送される。該スケジュールは、ＭＣＣＨ情報の開始を含む伝送時間間隔（ＴＴＩ）を識別する。前記情報は、多くの可変的なＴＴＩで伝送される。ＵＴＲＡＮは、連続的なＴＴＩで前記ＭＣＣＨ情報を伝送する。移動端末（ＵＥ）は、１）移動端末自身が全てのＭＣＣＨ情報を受信するまで、２）ＭＣＣＨデータを含まないＴＴＩを受信するまで、又は３）各情報コンテンツが受信する必要がなくなったことを示すまで（例えば、前記所望のサービス情報に変更がなくなるまで）、続けて前記ＳＣＣＰＣＨを受信する。
【００７６】
このような方式により、ＵＴＲＡＮは、信頼性の向上のためにスケジューリングされた伝送に続き前記ＭＣＣＨ情報を繰り返す。前記ＭＣＣＨスケジュールは、全てのサービスに共通する。全てのＭＣＣＨ情報は、「繰り返し周期（ｒｅｐｅｔｉｔｉｏｎ  ｐｅｒｉｏｄ）」を基準に周期的に伝送される。「変更周期（ｍｏｄｉｆｉｃａｔｉｏｎ  ｐｅｒｉｏｄ）」は、前記繰り返し周期の整数の倍数で定義される。ＭＢＭＳ  ＡＣＣＥＳＳ  ＩＮＦＯＲＭＡＴＩＯＮは、「アクセス情報周期（ａｃｃｅｓｓ  ｉｎｆｏ  ｐｅｒｉｏｄ）」に基づいて周期的に伝送される。このような周期は、前記「繰り返し周期」の整数ディバイダー（ｉｎｔｅｇｅｒ  ｄｉｖｉｄｅｒ）である。
【００７７】
ＭＣＣＨ情報は、臨界（ｃｒｉｔｉｃａｌ）及び非臨界（ｎｏｎ−ｃｒｉｔｉｃａｌ）情報に分類することができる。臨界情報への変更は、変更周期の第１ＭＣＣＨ伝送でのみ適用される。各変更周期が始まる時、ＵＴＲＡＮは、他の情報のうち前記変更周期にＭＣＣＨ情報が変更される各ＭＢＭＳサービスに関する情報を含むＭＢＭＳ変更サービス情報を伝送する。ＭＢＭＳ変更サービス情報は、前記変更周期の各繰り返し周期中に少なくとも一度繰り返される。非臨界情報への変更は、いつでも発生することができる。図８は、ＭＣＣＨで伝送されたＭＢＭＳ変更サービス情報及び残りの情報を伝送するスケジュールを示している。他の各ブロックは、他のＭＣＣＨコンテンツを示す。
【００７８】
図９は、１対多サービスデータを伝達する物理チャネルの有効性を示す方法を示している。ＵＴＲＡＮは、ＭＢＭＳ制御情報を移動端末に伝送するためにメッセージを生成する。該メッセージは、図９に示すように、論理チャネルＭＣＣＨで伝送される。該ＭＣＣＨは、ＭＢＭＳ共通１対多無線ベアラ（ｐ−ｔ−ｍ  ｒｂ）情報、ＭＢＭＳ現在セル１対多無線ベアラ情報、ＭＢＭＳ一般情報、ＭＢＭＳ変更サービス情報、ＭＢＭＳ隣接セル１対多無線ベアラ情報、又はＭＢＭＳ未変更サービス情報などの異なるメッセージを伝達する。
【００７９】
ＭＢＭＳサービスを伝達する物理チャネルＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を受信するための構成情報は、前記移動端末に伝送される前記メッセージに含まれる。好ましくは、前記構成情報は、臨界情報として伝送される。従って、前記構成情報への変更は、変更周期の第１ＭＣＣＨ伝送中に利用される。また、前記移動端末に伝送されるメッセージには、前記構成情報がいつ又はどれ程の期間有効であるかを示す有効性情報が含まれる。
【００８０】
前記移動端末は、前記構成情報と有効性情報を含むメッセージを前記ＭＣＣＨを介して受信する。好ましくは、前記有効性情報により前記構成情報が現在の変更周期の間有効であるということを前記移動端末に通知する。従って、前記有効性情報が前記現在の変更周期の間に受信されると、前記有効性情報により移動端末は前記ＳＣＣＰＣＨ構成が現在有効であり、前記構成情報の判読時に使用し得ることが分かる。また、前記有効性情報は、前記構成情報により所定のアクティブ化時間以後や所定のアクティブ化時間まで有効であるということを移動端末に通知する。これにより、前記有効性情報が判読されると、前記移動端末は、該当構成情報を利用してどれ程の期間前記ＳＣＣＰＣＨを受信し得るかが正確に分かる。従って、前記移動端末は、有効でない構成を利用してＳＣＣＰＣＨを受信する可能性を避けることができる。
【００８１】
前記アクティブ化時間は、移動端末が加入しているＭＢＭＳサービスの開始又は終了時間に該当するか、あるいはＳＣＣＰＣＨ構成の開始又は終了時間に該当する。好ましくは、前記アクティブ化時間は、ＳＦＮに基づく。該ＳＦＮは、システム情報メッセージによりネットワークから移動端末に伝送され、前記システム情報メッセージは、図９に示すように、ＢＣＣＨ（Ｂｒｏａｄｃａｓｔ  Ｃｏｎｔｒｏｌ  Ｃｈａｎｎｅｌ）を介して伝送される。前記有効性情報が、前記構成情報が所定のアクティブ化時間以後に有効であるということを示す場合、前記構成は前記ＳＦＮ以後に有効である。前記有効性情報が、前記構成情報が所定のアクティブ化時間まで有効であるということを示す場合、前記構成情報はＳＦＮまで有効である。
【００８２】
添付した図面を参照して、本発明の実施形態を、本発明が属する技術分野における通常の知識を有する者が容易に実施し得るように詳細に説明した。しかし、本発明は、多様な形態で実現することができ、ここで説明する実施形態に限定されるものではない。
【図面の簡単な説明】
【００８３】
【図１】一般的なＵＭＴＳネットワーク構造を示すブロック図である。
【図２】３ＧＰＰ無線アクセスネットワークの標準に準拠した端末とＵＴＲＡＮ間の各無線インタフェースプロトコルの構造を示す図である。
【図３】移動端末における論理チャネルの伝送チャネルへのマッピングを示す図である。
【図４】ネットワークにおける論理チャネルの伝送チャネルへのマッピングを示す図である。
【図５】ＵＭＴＳネットワークでモードと状態間の転移（変更）を示す図である。
【図６】マルチキャストモードを利用して特定のＭＢＭＳサービスを提供する過程を示す図である。
【図７】ブロードキャストサービスを提供する過程を示す図である。
【図８】ＭＣＣＨの情報伝送のためのスケジューリングを示す図である。
【図９】本発明の一実施形態による移動端末への制御情報伝送を示す図である。
【図１】
2007533248.tif 000004
【図２】
2007533248.tif 000005
【図３】
2007533248.tif 000006
【図４】
2007533248.tif 000007
【図５】
2007533248.tif 000008
【図６】
2007533248.tif 000009
【図７】
2007533248.tif 000010
【図８】
2007533248.tif 000011
【図９】
2007533248.tif 000012
【国際調査報告】
2007533248.tif 000013
2007533248.tif 000014